(57)【要約】    【課題】      コンテンツの管理を複数のユーザに対して行えるコンテンツ管理装置およびコンテンツ管理方法を提供すること。    【解決手段】  本発明は、コンテンツに対し録画、再生、削除、コピーなどの操作とこの操作を行った操作者に関する情報を入力し、コンテンツ毎に入力された操作と操作者との組を記憶し、記憶した操作と操作者との組を用いてコンテンツの管理を行うようにすることにより、各コンテンツに対して誰が録画、再生、削除、コピーなどの操作を行ったのが記録されることになり、コンテンツの管理を複数のユーザに対して容易に行える。  【選択図】      図１
2006155686.tif 000002
【特許請求の範囲】
【請求項１】
コンテンツに対し所定の操作と前記操作を行った操作者に関する情報を入力する入力手段と、前記コンテンツ毎に前記操作と操作を行った操作者との組を記憶する記憶手段と、前記記憶手段を用いて前記コンテンツの管理を行う管理手段と、を具備したことを特徴とするコンテンツ管理装置。
【請求項２】
リモコンの識別情報と前記リモコンに対するユーザとの対応を格納した個人識別テーブルと、前記入力手段が前記リモコンから送られてきた前記識別情報を受信した際に、前記個人識別テーブルを用いて前記リモコンから送られてきた識別情報に対応する前記ユーザを識別することにより前記操作を行った操作者を識別する個人識別手段と、を具備したことを特徴とする請求項１記載のコンテンツ管理装置。
【請求項３】
前記入力手段が受信したリモコンから送られてくる個人コードを用いて前記操作を行った操作者を識別する個人識別手段を具備したことを特徴とする請求項１記載のコンテンツ管理装置。
【請求項４】
外部機器の識別子と前記識別子に対するユーザとの対応を格納した個人識別テーブルと、前記入力手段が前記外部機器から送られてきた前記識別子を受信した際に、前記個人識別テーブルを用いて前記外部機器から送られてきた前記識別子に対応する前記ユーザを識別することにより前記操作を行った操作者を識別する個人識別手段と、を具備したことを特徴とする請求項１記載のコンテンツ管理装置。
【請求項５】
前記コンテンツ毎に前記操作と操作を行った操作者とを表示する表示制御手段を具備したことを特徴とする請求項１から請求項４のいずれかに記載のコンテンツ管理装置。
【請求項６】
前記操作者を表すアイコンを表示することを特徴とする請求項５記載のコンテンツ管理装置。
【請求項７】
前記操作は、コンテンツの、録画、再生、削除、および削除取り止めの少なくとも１つであることを特徴とする請求項１から請求項６のいずれかに記載のコンテンツ管理装置。
【請求項８】
コンテンツを蓄積するコンテンツ蓄積手段と、前記蓄積されたコンテンツを視聴する視聴予定者を記憶する視聴予定者記憶手段と、前記蓄積されたコンテンツの再生を行った視聴済みユーザ記憶手段と、前記視聴済みユーザ記憶手段に全ての前記視聴予定者が格納された際に全ての視聴予定者が前記蓄積されたコンテンツの視聴を終了したと判断し前記コンテンツ蓄積手段から前記蓄積されたコンテンツの削除をする制御手段と、を具備したことを特徴とする記録再生装置。
【請求項９】
前記全ての視聴予定者が前記蓄積されたコンテンツの視聴を終了した時点で自動的に前記蓄積されたコンテンツを削除することを特徴とする請求項８記載の記録再生装置。
【請求項１０】
前記全ての視聴予定者が前記蓄積されたコンテンツの視聴を終了した時点で前記蓄積されたコンテンツを削除するか否かユーザに確認することを特徴とする請求項８記載の記録再生装置。
【請求項１１】
視聴を終了した前記視聴予定者を表すアイコンを表示することを特徴とする請求項８記載の記録再生装置。
【請求項１２】
視聴が終わっていない前記視聴予定者を表すアイコンを表示することを特徴とする請求項８記載の記録再生装置。
【請求項１３】
前記蓄積されたコンテンツを削除しないで保存を希望する保存希望情報と、前記保存を希望するユーザとの対応を記憶する保存希望記憶手段を具備し、前記保存希望情報が付与された前記蓄積されたコンテンツを削除しないようにすることを特徴とする請求項８記載の記録再生装置。
【請求項１４】
前記保存を希望するユーザを表すアイコンを表示することを特徴とする請求項１３記載の記録再生装置。
【請求項１５】
コンテンツに対し所定の操作と前記操作を行った操作者に関する情報を入力するステップと、前記コンテンツ毎に前記操作と操作を行った操作者との組を記憶するステップと、記憶した前記操作と操作者との組を用いて前記コンテンツの管理を行うステップと、を具備したことを特徴とするコンテンツ管理方法。
【請求項１６】
コンピュータに、コンテンツに対し所定の操作と前記操作を行った操作者に関する情報を入力するステップと、前記コンテンツ毎に前記操作と操作を行った操作者との組を記憶するステップと、記憶した前記操作と操作者との組を用いて前記コンテンツの管理を行うステップと、を行わせることを特徴とするプログラム。
【発明の詳細な説明】
【技術分野】
【０００１】
本発明は、ハードディスクレコーダやＤＶＤレコーダ等のコンテンツ管理装置およびコンテンツ管理方法に関する。
【背景技術】
【０００２】
近年、ハードディスクレコーダやＤＶＤレコーダ等の大容量のＡＶコンテンツが記録再生できるコンテンツ管理装置が普及しつつある。記憶容量の大容量化に伴い、ユーザは、テレビジョン放送等により供給される映像、音楽、データ等のＡＶコンテンツを、多量に保存しておくことが可能となった。しかしながら、ハードディスクレコーダがどんなに大容量化されても記憶容量には必ず限界があるため、ある時点でユーザはコンテンツをハードディスクから削除するか、ＤＶＤ等の他のメディアに移すかしなくてはならなくなる。このように、大容量のコンテンツ管理装置においては、いらないコンテンツをいかに削除するかということが、今後ますます重要となってくる。
【０００３】
コンテンツ削除の方法としては、従来、例えば特許文献１記載の方法のように、人物センサを置くことによって、再生終了後、視聴者がその番組を全て見ていた場合にはその番組を自動的に消去するという方法がある。
【０００４】
また、別の方法として、例えば特許文献２記載の方法のように、再生が終了した後に、この番組を消去するか保存するかのコメントを出し、ユーザの選択に基づいて番組を消去または保存領域に番組を保存する、という方法がある。
【特許文献１】特開平１０−１８８５３３号公報
【特許文献２】特開平１０−２３４００７号公報
【発明の開示】
【発明が解決しようとする課題】
【０００５】
しかしながら、このようなコンテンツ管理装置は１人のユーザが使うとは限らず、家族みんなで使うことが多い。このため、例えば自分はもうそのコンテンツを視聴し終わったけれども、家族の他の者もそのコンテンツを見たいかもしれないといった状況が考えられる。このような状況下において、特許文献１にあるような方法では自動的に削除されてしまうという課題を有し、特許文献２にあるような方法では、他の者が既に見たのかまだ見ていないのかがわからないと、削除していいかどうかの判断をできないという課題を有している。
【０００６】
本発明はかかる点に鑑みなされたものであり、コンテンツの管理を複数のユーザに対して行えるようにすることを目的とする。
【課題を解決するための手段】
【０００７】
本発明は、コンテンツに対し録画、再生、削除、コピーなどの操作とこの操作を行った操作者に関する情報を入力し、コンテンツ毎に入力された操作と操作者との組を記憶し、記憶した操作と操作者との組を用いてコンテンツの管理を行うようにするものである。
【発明の効果】
【０００８】
本発明によれば、各コンテンツに対して誰が録画、再生、削除、コピーなどの操作を行ったのかが記録されることになり、コンテンツの管理を複数のユーザに対して容易に行える。
【発明を実施するための最良の形態】
【０００９】
本発明の第１の態様にかかるコンテンツ管理装置は、コンテンツに対し所定の操作と前記操作を行った操作者に関する情報を入力する入力手段と、前記コンテンツ毎に前記操作と操作を行った操作者との組を記憶する記憶手段と、前記記憶手段を用いて前記コンテンツの管理を行う管理手段と、を具備した構成を採る。
【００１０】
これにより、コンテンツに対して誰が操作を行ったのかが記録されることになり、コンテンツの管理を複数のユーザに対して容易に行える。
【００１１】
本発明の第２の態様は、第１の態様にかかるコンテンツ管理装置において、リモコンの識別情報と前記リモコンに対するユーザとの対応を格納した個人識別テーブルと、前記入力手段が前記リモコンから送られてきた前記識別情報を受信した際に、前記個人識別テーブルを用いて前記リモコンから送られてきた識別情報に対応する前記ユーザを識別することにより前記操作を行った操作者を識別する個人識別手段と、を具備した構成を採る。
【００１２】
これにより、リモコンから送られてきた識別情報から操作者を特定できる。
【００１３】
本発明の第３の態様は、第１の態様にかかるコンテンツ管理装置において、前記入力手段が受信したリモコンから送られてくる個人コードを用いて前記操作を行った操作者を識別する個人識別手段を具備した構成を採る。
【００１４】
これにより、リモコンから送られてきた個人コードから操作者を特定できる。
【００１５】
本発明の第４の態様は、第１の態様にかかるコンテンツ管理装置において、外部機器の識別子と前記識別子に対するユーザとの対応を格納した個人識別テーブルと、前記入力手段が前記外部機器から送られてきた前記識別子を受信した際に、前記個人識別テーブルを用いて前記外部機器から送られてきた前記識別子に対応する前記ユーザを識別することにより前記操作を行った操作者を識別する個人識別手段と、を具備した構成を採る。
【００１６】
これにより、操作者が誰であるかを容易に把握できる。
【００１７】
本発明の第５の態様は、第１の態様から第４の態様のいずれかにかかるコンテンツ管理装置において、前記コンテンツ毎に前記操作と操作を行った操作者とを表示する表示制御手段を具備した構成を採る。
【００１８】
これにより、ユーザに操作を行ったものが誰であるか視覚的に認識させることができる。
【００１９】
本発明の第６の態様は、第５の態様にかかるコンテンツ管理装置において、前記操作者を表すアイコンを表示する。
【００２０】
これにより、アイコンで、ユーザに操作者を視覚的に認識させることができる。
【００２１】
本発明の第７の態様は、第１の態様から第６の態様のいずれかにかかるコンテンツ管理装置において、前記操作は、コンテンツの、録画、再生、削除、および削除取り止めの少なくとも１つである。
【００２２】
これにより、コンテンツの、録画、再生、削除、および削除取り止めの管理を行うことができる。
【００２３】
本発明の第８の態様にかかる記録再生装置は、コンテンツを蓄積するコンテンツ蓄積手段と、前記蓄積されたコンテンツを視聴する視聴予定者を記憶する視聴予定者記憶手段と、前記蓄積されたコンテンツの再生を行った視聴済みユーザ記憶手段と、前記視聴済みユーザ記憶手段に全ての前記視聴予定者が格納された際に全ての視聴予定者が前記蓄積されたコンテンツの視聴を終了したと判断し前記コンテンツ蓄積手段から前記蓄積されたコンテンツの削除をする制御手段と、を具備した構成を採る。
【００２４】
これにより、視聴予定者が視聴終了してからその番組を削除するようにできる。この結果、複数のユーザに対してコンテンツの管理を行うことができる。
【００２５】
本発明の第９の態様は、第８の態様にかかる記録再生装置において、前記全ての視聴予定者が前記蓄積されたコンテンツの視聴を終了した時点で自動的に前記蓄積されたコンテンツを削除する。
【００２６】
これにより、操作者の操作の工程を省くことができ、操作者による処理を軽減できる。
【００２７】
本発明の第１０の態様は、第８の態様にかかる記録再生装置において、前記全ての視聴予定者が前記蓄積されたコンテンツの視聴を終了した時点で前記蓄積されたコンテンツを削除するか否かユーザに確認する。
【００２８】
これにより、視聴が終わった番組を再度視聴することができる。
【００２９】
本発明の第１１の態様は、第８の態様にかかる記録再生装置において、視聴を終了した前記視聴予定者を表すアイコンを表示する。
【００３０】
これにより、視聴済みの視聴予定のユーザを視覚的に認識できる。
【００３１】
本発明の第１２の態様は、第８の態様にかかる記録再生装置において、視聴が終わっていない前記視聴予定者を表すアイコンを表示する。
【００３２】
これにより、視聴が終わっていない視聴予定のユーザを視覚的に認識できる。
【００３３】
本発明の第１３の態様は、第８の態様にかかる記録再生装置において、前記蓄積されたコンテンツを削除しないで保存を希望する保存希望情報と、前記保存を希望するユーザとの対応を記憶する保存希望記憶手段を具備し、前記保存希望情報が付与された前記蓄積されたコンテンツを削除しないようにする。
【００３４】
これにより、操作者がコンテンツを消さずにずっと保存しておくことができ、かつ、操作者が保存を希望していることを他の人にも認識させることができる。
【００３５】
本発明の第１４の態様は、第１３の態様にかかる記録再生装置において、前記保存を希望するユーザを表すアイコンを表示する。
【００３６】
これにより、保存を希望するユーザを視覚的に認識できる。
【００３７】
本発明の第１５の態様は、コンテンツに対し所定の操作と前記操作を行った操作者に関する情報を入力するステップと、前記コンテンツ毎に前記操作と操作を行った操作者との組を記憶するステップと、記憶した前記操作と操作者との組を用いて前記コンテンツの管理を行うステップと、を具備したことを特徴とするコンテンツ管理方法である。
【００３８】
本発明の第１６の態様は、コンピュータに、コンテンツに対し所定の操作と前記操作を行った操作者に関する情報を入力するステップと、前記コンテンツ毎に前記操作と操作を行った操作者との組を記憶するステップと、記憶した前記操作と操作者との組を用いて前記コンテンツの管理を行うステップと、を行わせることを特徴とするプログラムである。
【００３９】
以下、本発明の実施の形態について、図面を参照して説明する。
【００４０】
（実施の形態１）
図１は、本発明の実施の形態１にかかるコンテンツ管理装置を適用した番組の記録再生装置の構成を示すブロック図である。
【００４１】
実施の形態１にかかる記録再生装置１００は、ハードディスクレコーダやＤＶＤレコーダあるいはパソコン等の大容量のＡＶコンテンツが記録再生できる装置であり、テレビジョン放送やネット配信などにより得られる番組映像信号を含むコンテンツをコンテンツ受信部１０１で受け取り、ハードディスク１０２に記録したり、モニタ１０３に出力したりすることが可能なものである。なお、記録再生装置１００が受信するコンテンツは映像信号を含むコンテンツであっても、音楽コンテンツ、テキストであっても良い。音声コンテンツの場合は、出力装置はモニタ１０３でなくスピーカになる。
【００４２】
具体的には、記録再生装置１００には、受信した映像信号を含むコンテンツをハードディスク１０２に記録したり、ハードディスク１０２やＤＶＤ記録再生部１１２に記憶された映像・音楽を再生したり、管理等を行う制御部１０４が設けられている。
【００４３】
また、記録再生装置１００には、リモートコントローラ（以下、リモコンと呼ぶ）１０６ａ〜１０６ｄからの赤外線信号を受ける入力手段である受光部１０５が設けられている。
【００４４】
実施の形態１では、記録再生装置１００に対する操作は、リモコン１０６ａ〜１０６ｄから入力される信号によって行われる。
【００４５】
リモコン１０６ａ〜１０６ｄには、各種操作を受けつける操作部１０８と、操作部１０８から入力された各種情報を赤外線信号にして送信する送信部１０７が設けられている。また、リモコン１０６ａ〜１０６ｄには、識別番号であるリモコン識別子格納部１０９が設けられている。
【００４６】
また、リモコン１０６ａ〜１０６ｄとしては、携帯電話などウェアラブルな機器を想定しており、ユーザが個人毎に持ち、個人とリモコン１０６ａ〜１０６ｄが１対１で対応するようになっている。これにより、リモコン１０６ａ〜１０６ｄから出力される赤外線にそのリモコン個体のリモコン識別子を含めることにより、記録再生装置１００は、どのリモコン１０６ａ〜１０６ｄからの信号であるか容易にわかる。また、共通のリモコンに対して、個人毎に割り振ったキーを押すことにより個人コードを直接送出するようにしても良い。
【００４７】
また、記録再生装置１００には、リモコンから送られてきたリモコン識別子とこれに対応するユーザの個人コードとを対応付けて管理する個人識別テーブル１１０が設けられている。また、記録再生装置１００には、録画情報の再生、削除などを行うための視聴情報を記録する視聴情報記憶部１１１が設けられている。個人識別テーブル１１０および視聴情報記憶部１１１の管理は制御部１０４が行う。なお、個人識別テーブル１１０および視聴情報記憶部１１１の詳細は後述する。
【００４８】
次に、視聴情報記憶部１１１の構成について、図２を用いて説明する。視聴情報記憶部１１１は、番組毎に、視聴予定者記憶領域２０１と、自動削除フラグ記憶領域２０２と、録画者記憶領域２０３と、視聴済みユーザ記憶領域２０４と、保存希望マーク記憶領域２０５と、削除者記憶領域２０６と、の組を格納している。
【００４９】
視聴予定者記憶領域２０１は、番組の視聴予定者に対応する個人コードを記憶する領域である。
【００５０】
自動削除フラグ記憶領域２０２は、全ての視聴予定者の視聴が終わったら自動的に対応する番組をハードディスク１０２から削除するモードのフラグを立てる場所である。自動削除フラグが立っている場合は、番組削除後に、削除者記憶領域２０６には自動削除を表すコードが記憶される。
【００５１】
録画者記憶領域２０３は、操作者コード、つまり録画をした人の個人コードを記憶する領域である。
【００５２】
視聴済みユーザ記憶領域２０４は、番組を視聴したユーザの個人コードを記憶する領域である。
【００５３】
保存希望マーク記憶領域２０５は、番組を消さずにずっと保存しておくことを示すマークを記憶する領域である。
【００５４】
削除者記憶領域２０６は、番組を削除したユーザの操作者コード、つまり個人コードを記憶する場所である。
【００５５】
以上のような視聴情報記憶部１１１を用いて、制御部１０４は、番組の録画や削除といった管理を行う。
【００５６】
次に、個人識別テーブル１１０について、図３を用いて説明する。図３に示すように、個人識別テーブル１１０には、リモコン識別子３０１と個人コード３０２との組が複数格納されている。制御部１０４は、個人識別テーブル１１０を使用することにより、リモコン１０６から送られてきたリモコン識別子からそのリモコンを使用しているユーザの個人コード３０２を特定できる。
【００５７】
次に、リモコン１０６の構成について、図４を用いて説明する。リモコン１０６には、情報入力手段として、上面中央にテンキー４０２、テンキー４０２の下方に十字キー４０３、十字キー４０３の下方にメニューボタン４０４、決定ボタン４０５、リモコン識別子を出力するための個人コード出力ボタン４０６が設けられている。また、リモコン１０６の上面上部には、入力された情報を表示する液晶などの表示部４０１が設けられている。また、リモコン１０６の上方には、テンキー４０２や十字キー４０３により入力された情報や、個人コードなどを赤外線で送信する送信部１０７が配置されている。
【００５８】
なお、リモコン１０６に個人毎に割り振った個人コード出力ボタンを備え、ユーザが自身に対応する個人コード出力ボタンを押すことにより個人コードを送信する形態でも良い。また、記録再生装置１００がモニタ１０３に個人毎に登録されたアイコンを表示し、ユーザが自身のアイコンを選択することにより個人コードを直接送出する形態でも良い。
【００５９】
ユーザはこのリモコン１０６のメニューボタン４０４を押下することにより、録画の設定をする録画設定モードに移行し、テンキー４０２や十字キー４０３を用いて録画する番組や番組の削除方法などや視聴者予定者に関する情報などを入力する。
【００６０】
次に、記録再生装置１００の動作について図５のフローチャートを用いて説明する。
【００６１】
まず、制御部１０４が、モニタ１０３に図６に示すメインメニュー６００を表示する（Ｓ２００）。メインメニュー６００には、番組の録画および録画予約をするための録画／録画予約ボタン６０１、番組の再生を行うための再生ボタン６０２、録画した番組を削除するための削除ボタン６０３、および、番組の削除を取り止めるための削除取り止めボタン６０４が設けられている。ユーザは、メインメニュー６００を参照しながら、リモコン１０６を用いて各種ボタン６０１〜６０４を押下することにより、録画／録画予約、再生、削除、および、削除取り止めを行う。
【００６２】
次に、受光部１０５は、ユーザが個人毎に持っているリモコン１０６ａ〜１０６ｄが生成し、赤外線信号にして出力したリモコンコードを受信し、受信したリモコンコードを、制御部１０４に送る（Ｓ２０１）。
【００６３】
リモコンコードには、ユーザの行った操作内容を表すコマンドと共に、リモコン個体のリモコン識別子（この場合はリモコンＡ／リモコンＢ／リモコンＣ／リモコンＤ１０６ａ〜１０６ｄを識別するリモコン識別子）情報が含まれている。
【００６４】
次に、制御部１０４は、リモコンコードからリモコン識別子とコマンドを抽出する（Ｓ２０２）。次に、制御部１０４は、個人識別テーブル１１０を参照し、抽出したリモコン識別子に対応する個人コードを抽出することにより、現在操作している人物が誰であるか特定する。そして、制御部１０４は、抽出した個人コードを操作者コードとする（Ｓ２０３）。
【００６５】
次に、制御部１０４は、リモコンコードに含まれていた操作内容を表すコマンドを解析し（Ｓ２０４）、このコマンドが録画または録画予約であればステップＳ２０５へ、再生であればステップＳ２０６へ、削除であればステップＳ２０７へ、削除取り止めであればステップＳ２０８へ進み、ユーザの入力が終わるまで（Ｓ２０９）、ステップＳ２００〜Ｓ２０８の処理を行う。
【００６６】
なお、ステップＳ２０５〜Ｓ２０８の処理の詳細については、後述する。
【００６７】
次に、リモコン１０６から送られてきたコマンドが録画または録画予約であった場合の記録再生装置１００の処理について、図７のフローチャートを用いて説明する。
【００６８】
まず、制御部１０４は、リモコン１０６から送られてきたコマンドが録画または録画予約である場合には、図８の画面８００に示す画面を表示する。
【００６９】
画面８００は、番組録画する際の設定を尋ねる画面である。具体的には、画面８００には、視聴予定者を登録して全員視聴し終わったら自動で削除するモード１、視聴予定者を登録するだけで録画するモード２、視聴予定者を登録しないで録画するモード３、の３つのモードを選択させるボタン８０１〜８０３を備える。制御部１０４は、画面８００を表示することにより、番組録画の際の設定をユーザにリモコン１０６の十字キー４０３や決定ボタン４０５を用いて選択させる（Ｓ３０１）。
【００７０】
次に、制御部１０４は、ステップＳ３０１において入力されたモードを確認し（Ｓ３０２）、モード１ならばステップＳ３０３へ、モード２ならばステップＳ３０４へ、モード３ならばステップＳ３０６へ処理を進める。
【００７１】
モード１の場合には、制御部１０４は、視聴情報記憶部１１１の録画する番組に対する自動削除フラグ記憶領域２０２に自動削除フラグを立てる（Ｓ３０３）。
【００７２】
次に、制御部１０４は、図９に示す画面９００を表示する。画面９００には、個人識別テーブル１１０の個人コード３０２に登録された登録ユーザ名のボタン９０１〜９０４とそれに対応するアイコン９０５〜９０８が設けられている。制御部１０４は、画面９００を表示することにより、視聴予定者をユーザに選択させる（Ｓ３０４）。また、アイコン９０５〜９０８により、ユーザに視聴予定者を視覚的に認識させることができる。なお、画面９００は、ユーザ名のみあるいはアイコンのみでもよい。
【００７３】
次に、制御部１０４は、入力された視聴予定者に対応する個人コードを、視聴情報記憶部１１１の録画する番組に対応する視聴予定者記憶領域２０１に記憶する（Ｓ３０５）。そして、制御部１０４は、録画する番組に対応する録画者記憶領域２０３に、現在録画処理をしているユーザの個人コードを操作者コードとして記憶し、番組の録画または録画予約をする（Ｓ３０６）。
【００７４】
このように、番組を予約した操作者コードを記憶することにより、番組を録画したのが誰であるかがわかるようになるため、録画された番組名を表示するときに誰が録画したのかを表示させることができるようになる。
【００７５】
また、ステップＳ３０２においてモード２が選択された場合には、制御部１０４は、Ｓステップ３０４〜Ｓ３０６の処理をし、モード３が選択された場合にはステップＳ３０６のみ行う。
【００７６】
以上のように、記録再生装置１００は、番組を録画する際に、録画モードを設定すると共に、設定された録画モードに対して必要な情報を視聴情報記憶部１１１に記憶する。
【００７７】
次に、記録再生装置１００の番組再生処理について、図１０のフローチャートを用いて説明する。
【００７８】
制御部１０４は、リモコン１０６から送られてきたコマンドが再生であった場合、録画した番組の再生を行う（Ｓ４０１）。
【００７９】
次に、制御部１０４は、番組が終了まで再生が為されたかどうか判定する（Ｓ４０２）。
【００８０】
制御部１０４は、番組終了まで再生されたかどうかを、録画された番組の最後のフレームまで再生した場合、最後のフレームから５分以内など一定時間内まで再生した場合、最後のコマーシャル区間を検出しそのコマーシャルが始まる前までを再生した場合などをもって判断する。そして、制御部１０４は、番組終了まで再生されたことをもって録画番組の視聴が終わったとみなす。
【００８１】
なお、操作を行った人物と視聴した人物が異なることも考えられるため、視聴し終わったかどうかの判断を番組終了まで再生されたかどうかで判断するのではなく、視聴者の自己申告によって番組終了まで視聴したかの判断を行うようにしてもよい。
【００８２】
最後まで番組を再生し終わった場合には、制御部１０４は、その操作を行ったユーザの個人コード（操作者コード）を視聴情報記憶部１１１の再生された番組に対応する視聴済みユーザ記憶領域２０４に記憶する（Ｓ４０３）。
【００８３】
このとき、同時に複数人が視聴することが考えられるが、そのような場合には、あらかじめ各リモコン１０６ａ〜１０６ｄにリモコン識別子を送る個人コード出力ボタン４０６を設けてあるので、視聴する各人がそれぞれ自分専用の個人リモコン１０６ａ〜１０６ｄにある個人コード出力ボタン４０６を押すことで同時に複数人が視聴する場合にも対応できる。あるいは、あらかじめそれぞれのリモコン１０６ａ〜１０６ｄに４〜６個程度の個人コード出力ボタン４０６を用意しておき、ひとつのボタンに１人を割り当てて登録しておき、個人コード出力ボタンを押すとそのボタンに割り当てられているユーザであると識別するようにしてもよい。この場合には、一台のリモコン１０６で複数人のユーザがいる場合に対応できる。
【００８４】
次に、制御部１０４は、視聴情報記憶部１１１の視聴予定者記憶領域２０１にある全ての個人コードが視聴済みユーザ記憶領域２０４にあるか判定し（Ｓ４０４）、もし全ての個人コードが視聴済みユーザ記憶領域２０４にあれば視聴予定者は全員視聴し終わっていると判断する。
【００８５】
視聴予定者記憶領域２０１にある全ての個人コードが視聴済みユーザ記憶領域２０４にある場合は、制御部１０４は、再生終了した番組の自動削除フラグ記憶領域２０２を見て自動削除フラグが立っているかどうか判断する（Ｓ４０５）。自動削除フラグが立っていた場合には、制御部１０４は、自動的にこの番組をハードディスク１０２から削除し、再生終了した番組の削除者記憶領域２０６には自動削除を表すコードを記憶する（Ｓ４０６）。ただし、このとき、実際には、制御部１０４は、再生終了した番組をハードディスク１０２上の削除予定ディレクトリーへ移すのみで、もしユーザが削除したくない場合にはすぐに戻せるようにしておく。
【００８６】
具体的には、制御部１０４は、図１１の画面１１００のように、ここで削除取り止め画面へ行くボタン１１０１を表示させ、ユーザに削除取り止めか確認させる。そして、ユーザが削除取り止めを選んだ場合は（Ｓ４０７）、削除取り止め処理（Ｓ４０８）へ進み（後述）、処理を終了する。
【００８７】
一方、ステップＳ４０７において、ユーザが削除取り止めを選ばなかった場合には、制御部１０４は、図１２の画面１２００のように視聴済みのユーザ名もしくはアイコン１２０１、１２０２を表示する。
【００８８】
また、視聴予定者が登録されており、まだ全員が視聴していない場合には、制御部１０４は、視聴予定があるのにまだ視聴していないのが誰であるかわかるように、視聴予定があるのにまだ視聴していないユーザ名もしくはアイコン１２０３を同様に表示し（Ｓ４０９）、削除処理（Ｓ４１０）に移行する。
【００８９】
これにより、視聴予定のユーザを認識できるだけでなく、視聴済みの視聴予定のユーザと視聴が終わっていない視聴予定のユーザを視覚的に認識できる。例えば家族の中でお父さんがまだ見ていなかったら、後でお父さんに声かけをするなどの対処ができるようになる。
【００９０】
さらに、もし、ユーザがその番組を消さずにずっと保存しておきたいと思った場合には、自分が保存を希望していることを他の人にもわかってもらうために、コンテンツを削除しないで保存を希望する保存希望情報である「消さないでね」マークをその番組に付けられるようにする。具体的には、画面１２００には、「消さないでね」マークをつけるボタン１２０４および「消さないでね」マークをつけないボタン１２０５が設けられていて、ユーザが「消さないでね」マークをつけるボタン１２０４を押下すると、処理対象の番組の保存希望マーク記憶領域２０５に操作者コードと共に「消さないでね」マークが保存される。
【００９１】
このように、「消さないでね」マークを誰がつけたのかと共に記録しておくことができるため、どうしてもハードディスク１０２の容量が足りなくて他の誰かがその番組を削除したいと思ったときに、誰に交渉してよいかがすぐにわかるようになる。また、「消さないでね」マークをつけたユーザのアイコンを表示することにより、「消さないでね」マークをつけたユーザを視覚的に認識できる。
【００９２】
また、削除予定ディレクトリーにある番組は一定期間もしくは、ディスク容量が一杯になりそうなときに自動的に削除されるようにする。なお、コンテンツの内容によって映画などは長く消さずにおきニュースなど時事性の高いものは短期間で削除させるようにしても良い。
【００９３】
一方、ステップＳ４０５において、視聴予定者を登録しただけで自動削除設定をしていなかった番組であると判断した場合は、制御部１０４は、番組の視聴予定者が全員視聴し終わった時点で、図１３の画面１３００を表示して「視聴予定者全員が見終わりましたが、削除しますか？」と聞くようにする（Ｓ４１１）。
【００９４】
なお、Ｓ４１１において、削除だけではなく「他のメディアに移しますか？」という質問を付け加え、ＤＶＤなどに記録しても良い。
【００９５】
画面１３００を見たユーザが番組削除を選んだ場合には（Ｓ４１２）、その番組を削除予定ディレクトリーに移動し、番組の削除者記憶領域２０６に削除をした操作者コードを記憶し、削除処理（Ｓ４１０）に移行し、処理を終了する。
【００９６】
このように自動的に番組を削除することにより、ユーザ操作の工程を省くことができ、ユーザによる処理を軽減できる。
【００９７】
なお、本実施の形態では、自動的に削除する設定をユーザができるようにしたが、自動的に削除するのではなく、視聴予定者全員が視聴し終わったら「視聴予定者全員が見終わりましたが、削除してよろしいですか？」と確認をとるようにしても良い。これにより、視聴が終わった番組を再度視聴することができる。
【００９８】
一方、ステップＳ４０２において、番組終了まで視聴が終わっていないと判断すると、制御部１０４は、操作者コード、再生終了位置と、視聴の終わっていない番組のブックマークをハードディスク１０２の図示しないブックマーク記憶部に記憶し（Ｓ４１３）、処理を終了する。
【００９９】
このように、記録再生装置１００は、視聴予定のユーザが視聴終了してからその番組を削除するようにできる。また、ある番組の視聴予定のユーザが確実に視聴したか確実に確認でき、視聴予定のユーザの視聴終了を確認してからその番組を削除するようにできる。
【０１００】
次に、記録再生装置１００の番組削除処理について、図１４のフローチャートを用いて説明する。
【０１０１】
まず、ユーザがハードディスク１０２上の番組を整理しようと思って、削除の操作を選んだ場合、制御部１０４は、図１５の画面１５００を表示する。
【０１０２】
画面１５００には、番組名１５０１および記録日時１５０２と、視聴し終わった人１５０３および視聴予定が登録されているのにまだ視聴していない人１５０４との組が番組毎に複数表示される。視聴し終わった人１５０３および視聴予定が登録されているのにまだ視聴していない人には対応するアイコンがそれぞれ分けて表示される。
【０１０３】
なお、視聴し終わった人に対応するアイコンと視聴予定が登録されているのにまだ視聴していない人に対応するアイコンを色分けしたり、大きさを変えたり、点滅させたり、アイコンのデザイン（表情など）を変えたりしてもよい。また、アイコンではなく文字で表示しても良い。
【０１０４】
これにより、ユーザは、それぞれの番組について、誰が視聴済みで誰がまだ見ていなくてこれから見たいと思っているのかがすぐにわかるようになり、削除の判断がやりやすくなる。さらに、「消さないでね」マークとして、例えばユーザ毎のアイコンの隅に赤いハートマークなどを目立つようにつけて表示させることにより、誰がその番組を消さないでほしいと思っているのかが他のユーザに一目でわかるようになる。
【０１０５】
そして、ユーザが画面１５００を参照し実際に削除する番組を選択することにより、削除する番組を入力すると（Ｓ５０１）、制御部１０４は、その番組を削除予定ディレクトリーへ移し、削除者記憶領域２０６に操作者コードを記憶する（Ｓ５０２）。
【０１０６】
このように、記録再生装置１００は、録画した番組を削除する。また、画面１５００により、既に見た人と、これから見たい人を用意に把握でき、これから見たい人がいるのに誤って番組を削除するということを防止できる。
【０１０７】
次に、記録再生装置１００の番組削除取り止め処理について、図１６のフローチャートを用いて説明する。
【０１０８】
Ｓ２０８またはＳ４０８の削除取り止め処理へ進んだ場合、制御部１０４は、図１７の画面１７００を表示する。画面１７００には、削除予定ディレクトリーにある番組名１７０１と、その番組の記録日時１７０２と、その番組を削除したユーザ名１７０３との組が番組毎に表示される。
【０１０９】
画面１７００を参照したユーザが削除予定ディレクトリーにある番組を選択することにより、番組の削除を取り止める入力をすると（Ｓ５０３）、制御部１０４は、削除を取り止める番組を削除予定ディレクトリーから外す（Ｓ５０４）。
【０１１０】
このようにして、削除予定番組の削除取り止めが行えるようになる。このとき削除した人が誰であるかを番組名の横に表示させることにより、責任の所在が明らかとなり、消したくない番組を消した人に対して注意を促すなどの対処が可能となる。
【０１１１】
以上説明したように、実施の形態１によれば、録画、再生、削除などの操作をしたユーザが誰であるかわかるので、コンテンツの管理を複数のユーザに対して容易に行える。
【０１１２】
なお、実施の形態１では、番組の、録画、再生、削除、削除取り止めについて説明したが、いつ誰がどのメディアへコピーしたかも記憶しておくことにより、どこへコピーしたか忘れてしまったり、誰かが自分の知らない間にコピーしてハードディスクから削除してしまっていたりした場合にも、コピー先のメディアを探すのが容易になる。
【０１１３】
さらに、リモコンではなく携帯電話等の外部の携帯端末からインターネット等を介して録画予約する場合も考えられるため、あらかじめユーザ毎にどの機器からアクセスするか機器の識別子であるＩＰアドレスを登録しておき、アクセスのあったＩＰアドレスによって個人を識別してもよい。これによっても、操作者が誰であるかを容易に把握できる。
【０１１４】
また、実施の形態１では、コンテンツとして番組を扱ったが、音声のみ、画像のみ、文字のみ、音楽コンテンツなどいかなるコンテンツを扱う形態であってもよい。
【０１１５】
なお、本実施の形態では、制御部１０４が、各種操作をしたのが誰であるかを識別する個人識別手段と、番組毎に操作を行った操作者を表示する制御を行う表示制御手段と、ある番組を視聴し終わったかどうかを判断する視聴済み判断手段と、ある番組の視聴予定者が全員視聴し終わった時点で自動的にそのコンテンツを削除する削除手段と、視聴予定者が全員視聴し終わった時点でそのコンテンツを削除するか否かユーザに確認する確認手段と、コンテンツを管理する管理手段として動作する形態で説明したが、これらの手段をそれぞれ専用の処理部として設けた形態であっても良い。
【０１１６】
また、制御部１０４が行う処理をプログラムにし、汎用のコンピュータに行わせる形態であっても良い。
【０１１７】
（実施の形態２）
本発明の実施の形態２は、生体認証による個人識別を行うようにしたものである。生体認証の方法としては、音声、指紋、虹彩、網膜、顔などを用いたものがあるが、ここでは音声を用いた話者識別方法について説明する。
【０１１８】
まず、実施の形態２にかかる記録画像再生装置について、図１８を用いて説明する。なお、既に説明した部分と同一の部分には同一の符号を付与し、詳細な説明を省略する。
【０１１９】
実施の形態２のリモコン１８０２ａ〜１８０２ｄ（以下、単に１８０２という）は、マイク１８０３を備える。また、リモコン１８０２は、マイク１８０３から入力された音声の音声認識機能を持った音声認識部１８０４と、入力された音声を用いて話者を識別する話者識別部１８０５が備えられている。
【０１２０】
話者識別部１８０５には、話者識別を行うためにはあらかじめ複数のユーザの声をあらかじめ登録してある。話者識別部１８０５は、入力された音声と、登録されている声を照合することにより、誰がしゃべったのかを特定する。
【０１２１】
このように、音声認識部１８０４を設けることにより、ユーザは、リモコン１８０２のマイク１８０３に向かって「録画」、「再生」、「削除」などの操作名や番組名をしゃべることにより、記録再生装置１８００の操作を行うことができる。ユーザは、「録画」「再生」など操作内容に応じた言葉をしゃべるだけで操作ができるため、機器の使い方がよくわからない初心者でも簡単に操作できる。
【０１２２】
また、画面上には表示しきれないような多数の番組名の中から、自分の見たい番組名をしゃべるだけで所望の番組を指定することができるようになるため、使い勝手がよくなるというメリットがある。
【０１２３】
また、話者識別部１８０５を設けることにより、マイク１８０３から入力された音声により、音声認識と同時に話者識別も行えるため、ユーザになんらの負担を増やすことなく個人識別が可能となる。
【０１２４】
次に、実施の形態２にかかる記録再生装置１８００の動作について説明する。
【０１２５】
まず、ユーザがマイク１８０３に向かってしゃべった言葉をリモコン１８０２の音声認識部１８０４が音声認識すると共に、話者識別部１８０５が話者識別を行う。
【０１２６】
次に、リモコン１８０２が音声認識した結果得られた認識結果コードおよび、話者識別により得られる個人コードを、送信部１０７から赤外線により出力する。
【０１２７】
これに対して、記録再生装置１８００は、受光部１０５において赤外信号を受信し、制御部１８０１に送る。制御部１８０１では、音声認識結果コードに応じて、それに対応する操作を行ない、送られてきた個人コードを操作者コードとする。それ以外の動作は実施の形態１と同じである。
【０１２８】
以上説明したように、実施の形態２によれば、実施の形態１の効果に加えて、ユーザがリモコンに対して話すだけで、各種操作の入力および話者識別を行える。
【０１２９】
なお、リモコン１８０２で音声認識および話者識別を行うのではなく、リモコン付属のマイク１８０３で音声を入力し、入力された音声データもしくはその音声を音響分析して得られる音響パラメータを制御部１８０１へ送り、制御部１８０１で音声認識および話者識別を行なってもよい。
【０１３０】
また、リモコン１８０２〜記録再生装置１８００に赤外線ではなく、ブルートゥースなどの無線通信技術を用いて電波によって情報を送ることにより音声データなど情報量の多いデータも送ることが可能である。この場合は、リモコン１８０２は音声認識および話者識別をする必要がないため少ないハードリソースですむ。
【０１３１】
また、リモコン１８０２が、音声認識でなく、指紋、虹彩、網膜、顔などを用いた生体認証を行う形態でも良い。この場合、リモコン１８０２で識別を行ない、識別結果を送る方法と、識別のためのパラメータのみ送って制御部１８０１で識別を行う方法とがある。
【産業上の利用可能性】
【０１３２】
本発明にかかる記録再生装置は、コンテンツの管理が容易になるという効果を有し、ハードディスクレコーダやＤＶＤレコーダ等に有用である。
【図面の簡単な説明】
【０１３３】
【図１】本発明の実施の形態１にかかる記録再生装置の構成を示すブロック図
【図２】実施の形態１にかかる視聴情報記憶部の構成を示す図
【図３】実施の形態１にかかる個人識別テーブルの構成を示す図
【図４】実施の形態１にかかるリモコンの構成を示す図
【図５】実施の形態１にかかる記録再生装置の動作を示すフローチャート
【図６】実施の形態１にかかるメインメニューを示す図
【図７】実施の形態１にかかる記録再生装置の録画または録画予約処理のフローチャート
【図８】実施の形態１にかかる番組録画設定を尋ねる画面を示す図
【図９】実施の形態１にかかる視聴予定者を設定する画面を示す図
【図１０】実施の形態１にかかる記録再生装置の番組再生処理のフローチャート
【図１１】実施の形態１にかかる番組削除取り止め画面への移行指示をする画面を示す図
【図１２】実施の形態１にかかる番組視聴者確認画面を示す図
【図１３】実施の形態１にかかる番組削除確認画面を示す図
【図１４】実施の形態１にかかる記録再生装置の番組削除処理のフローチャート
【図１５】実施の形態１にかかる番組削除用画面を示す図
【図１６】実施の形態１にかかる記録再生装置の番組削除取り止め処理のフローチャート
【図１７】実施の形態１にかかる番組削除取り止め用画面を示す図
【図１８】本発明の実施の形態２にかかる記録再生装置の構成を示すブロック図
【符号の説明】
【０１３４】
１００、１８００  記録再生装置
１０１  コンテンツ受信部
１０２  ハードディスク
１０３  モニタ
１０４、１８０１  制御部
１０５  受光部
１０６ａ〜１０６ｄ、１８０２ａ〜１８０２ｄ  リモコン
１０９  リモコン識別子格納部
１１０  個人識別テーブル
１１１  視聴情報記憶部
１１２  ＤＶＤ記録再生部
１８０３  マイク
１８０４  音声認識部
１８０５  話者識別部
【図１】
2006155686.tif 000003
【図２】
2006155686.tif 000004
【図３】
2006155686.tif 000005
【図４】
2006155686.tif 000006
【図５】
2006155686.tif 000007
【図６】
2006155686.tif 000008
【図７】
2006155686.tif 000009
【図８】
2006155686.tif 000010
【図９】
2006155686.tif 000011
【図１０】
2006155686.tif 000012
【図１１】
2006155686.tif 000013
【図１２】
2006155686.tif 000014
【図１３】
2006155686.tif 000015
【図１４】
2006155686.tif 000016
【図１５】
2006155686.tif 000017
【図１６】
2006155686.tif 000018
【図１７】
2006155686.tif 000019
【図１８】
2006155686.tif 000020